【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
ビデオデータを符号化するための方法であって、前記方法は、
ピクチャーを複数のピクチャーパーティションに分割することと、ここで、前記ピクチャーは複数のツリーブロックを有し、前記ピクチャーパーティションは前記ピクチャーの前記ツリーブロックのオーバーラップしないサブセットに関連付けられる、
前記ピクチャーのスライスに関連付けられた前記ツリーブロックの符号化表現を含むコード化スライスネットワークアブストラクションレイヤ（ＮＡＬ）ユニットを生成することと、ここで、前記ツリーブロックの前記符号化表現は、前記コード化スライスＮＡＬユニット内で前記ピクチャーパーティションのうちの異なるピクチャーパーティションに関連付けられたセグメントにグループ化され、
前記セグメントのそれぞれがバイト境界上で開始するように前記セグメントのうちの１つまたは複数がパディングされ、前記セグメントは、所与のセグメントを含み、前記コード化スライスＮＡＬユニットを生成することは、次のツリーブロックが、前記スライス内にあり、前記所与のセグメントとは異なるピクチャーパーティションに関連付けられる場合に、前記所与のセグメントにビットを付加するパディング演算を実行することを含む、
を含む、方法。
【請求項２】
前記コード化スライスＮＡＬユニットを生成することは、前記セグメントのうちの１つまたは複数のためのエントリーポイントを示すスライスヘッダを生成することを含む、請求項１に記載の方法。
【請求項３】
前記セグメントのための前記エントリーポイントは、前記セグメントのバイトオフセットを示す、請求項２に記載の方法。
【請求項４】
前記ピクチャーパーティションは、タイルまたはウェイブフロント並列処理（ＷＰＰ）ウェイブである、請求項１に記載の方法。
【請求項５】
前記ピクチャーに関連付けられたパラメータセットを生成することをさらに含み、前記パラメータセットは、第１の値を有するフラグを含み、前記第１の値は、前記セグメントのそれぞれがバイト境界において開始するように前記セグメントのうちの前記１つまたは複数がパディングされることを示し、
前記フラグが第２の値を有するとき、前記セグメントはバイト境界において開始することも開始しないこともある、請求項１に記載の方法。
【請求項６】
前記ピクチャーパーティションは、タイルであり、
前記コード化スライスＮＡＬユニットを生成することは、前記タイルが互いから独立していると判定した後にのみ、前記セグメントがバイト境界において開始することを保証するパディング演算を実行することを含む、請求項１に記載の方法。
【請求項７】
ビデオデータを復号する方法であって、前記方法は、
ピクチャーのスライスに関連付けられたツリーブロックの符号化表現を含むコード化スライスネットワークアブストラクションレイヤ（ＮＡＬ）ユニットを記憶することと、ここで、前記ピクチャーは複数のピクチャーパーティションに区分され、前記ツリーブロックの前記符号化表現は前記ピクチャーパーティションのうちの異なるピクチャーパーティションに関連付けられたセグメントにグループ化され、前記セグメントのそれぞれがバイト境界において開始するように前記セグメントのうちの１つまたは複数がパディングされ、前記セグメントは、所与のセグメントを含み、前記コード化スライスＮＡＬユニットは、次のツリーブロックが、前記スライス内にあり、前記所与のセグメントとは異なるピクチャーパーティションに関連付けられる場合に、前記所与のセグメントに付加されるビットを含む、
前記ツリーブロックの前記符号化表現を復号することと、
を含む、方法。
【請求項８】
前記コード化スライスＮＡＬユニットは、前記セグメントのうちの１つまたは複数のためのエントリーポイントを示すスライスヘッダを含む、請求項７に記載の方法。
【請求項９】
前記セグメントのための前記エントリーポイントは、前記セグメントのバイトオフセットを示す、請求項８に記載の方法。
【請求項１０】
前記ピクチャーパーティションは、タイルまたはウェイブフロント並列処理（ＷＰＰ）ウェイブである、請求項７に記載の方法。
【請求項１１】
前記ピクチャーに関連付けられたパラメータセットを記憶することをさらに含み、前記パラメータセットは、第１の値を有するフラグを含み、前記第１の値は、前記セグメントのそれぞれがバイト境界において開始するように前記セグメントのうちの前記１つまたは複数がパディングされることを示し、
前記フラグが第２の値を有するとき、前記セグメントはバイト境界において開始することも開始しないこともある、請求項７に記載の方法。
【請求項１２】
前記ピクチャーパーティションは、タイルであり、
前記タイルが互いから独立しているとき、前記セグメントがバイト境界において開始するように前記セグメントのうちの１つまたは複数がパディングされる、請求項７に記載の方法。
【請求項１３】
前記ツリーブロックの前記符号化表現を復号することは、前記セグメントのうちの２つ以上の中の前記ツリーブロックの前記符号化表現を並列に復号することを含む、請求項７に記載の方法。
【請求項１４】
ビデオデータを符号化するビデオ符号化デバイスであって、前記ビデオ符号化デバイスは、
前記ビデオデータを記憶するように構成されたデータ記憶媒体と、
前記ビデオデータのピクチャーを複数のピクチャーパーティションに分割することと、ここで、前記ピクチャーは複数のツリーブロックを有し、前記ピクチャーパーティションは前記ピクチャーの前記ツリーブロックのオーバーラップしないサブセットに関連付けられる、
前記ピクチャーのスライスに関連付けられた前記ツリーブロックの符号化表現を含むコード化スライスネットワークアブストラクションレイヤ（ＮＡＬ）ユニットを生成することと、ここで、前記ツリーブロックの前記符号化表現は、前記コード化スライスＮＡＬユニット内で前記ピクチャーパーティションのうちの異なるピクチャーパーティションに関連付けられたセグメントにグループ化され、前記セグメントのそれぞれがバイト境界上で開始するように前記セグメントのうちの１つまたは複数がパディングされ、前記セグメントは、所与のセグメントを含み、１つまたは複数のプロセッサが、次のツリーブロックが、前記スライス内にあり、前記所与のセグメントとは異なるピクチャーパーティションに関連付けられる場合に、前記所与のセグメントにビットを付加するパディング演算を実行するように構成される、
を行うように構成された前記１つまたは複数のプロセッサと、
を含む、ビデオ符号化デバイス。
【請求項１５】
前記１つまたは複数のプロセッサは、前記コード化スライスＮＡＬユニットが、前記セグメントのうちの１つまたは複数のためのエントリーポイントを示すスライスヘッダを含むように、前記コード化スライスＮＡＬユニットを生成するように構成された、請求項１４に記載のビデオ符号化デバイス。
【請求項１６】
前記セグメントのための前記エントリーポイントは、前記セグメントのバイトオフセットを示す、請求項１５に記載のビデオ符号化デバイス。
【請求項１７】
前記ピクチャーパーティションは、タイルまたはウェイブフロント並列処理（ＷＰＰ）ウェイブである、請求項１４に記載のビデオ符号化デバイス。
【請求項１８】
前記１つまたは複数のプロセッサは、前記ピクチャーに関連付けられたパラメータセットを生成するように構成され、前記パラメータセットは、第１の値を有するフラグを含み、前記第１の値は、前記セグメントのそれぞれがバイト境界において開始するように前記セグメントのうちの前記１つまたは複数がパディングされることを示し、
前記フラグが第２の値を有するとき、前記セグメントはバイト境界において開始することも開始しないこともある、請求項１４に記載のビデオ符号化デバイス。
【請求項１９】
前記ピクチャーパーティションは、タイルであり、
１つまたは複数のプロセッサは、前記タイルが互いから独立していると判定した後にのみ、前記セグメントがバイト境界において開始することを保証するパディング演算を実行するように構成された、請求項１４に記載のビデオ符号化デバイス。
【請求項２０】
前記ビデオ符号化デバイスは、モバイルコンピューティングデバイスである、請求項１４に記載のビデオ符号化デバイス。
【請求項２１】
ビデオデータを復号するビデオ復号デバイスであって、前記ビデオ復号デバイスは、
ピクチャーのスライスに関連付けられたツリーブロックの符号化表現を含むコード化スライスネットワークアブストラクションレイヤ（ＮＡＬ）ユニットを記憶するメモリと、ここで、前記ピクチャーは複数のピクチャーパーティションに分割され、前記ツリーブロックの前記符号化表現は前記ピクチャーパーティションのうちの異なるピクチャーパーティションに関連付けられたセグメントにグループ化され、前記セグメントのそれぞれがバイト境界において開始するように前記セグメントのうちの１つまたは複数がパディングされ、前記セグメントは、所与のセグメントを含み、前記コード化スライスＮＡＬユニットは、次のツリーブロックが、前記スライス内にあり、前記所与のセグメントとは異なるピクチャーパーティションに関連付けられる場合に、前記所与のセグメントに付加されるビットを含む、
前記ツリーブロックの前記符号化表現を復号するように構成された１つまたは複数のプロセッサと、
を含む、ビデオ復号デバイス。
【請求項２２】
前記コード化スライスＮＡＬユニットは、前記セグメントのうちの１つまたは複数のためのエントリーポイントを示すスライスヘッダを含む、請求項２１に記載のビデオ復号デバイス。
【請求項２３】
前記セグメントのための前記エントリーポイントは、前記セグメントのバイトオフセットを示す、請求項２２に記載のビデオ復号デバイス。
【請求項２４】
前記ピクチャーパーティションは、タイルまたはウェイブフロント並列処理（ＷＰＰ）ウェイブである、請求項２１に記載のビデオ復号デバイス。
【請求項２５】
前記メモリは、前記ピクチャーに関連付けられたパラメータセットを記憶し、前記パラメータセットは、第１の値を有するフラグを含み、前記第１の値は、前記セグメントのそれぞれがバイト境界において開始するように前記セグメントのうちの前記１つまたは複数がパディングされることを示し、
前記フラグが第２の値を有するとき、前記セグメントはバイト境界において開始することも開始しないこともある、請求項２１に記載のビデオ復号デバイス。
【請求項２６】
前記ビデオ復号デバイスは、モバイルコンピューティングデバイスである、請求項２１に記載のビデオ復号デバイス。
【請求項２７】
前記１つまたは複数のプロセッサが、前記セグメントのうちの２つ以上の中の前記ツリーブロックの前記符号化表現を並列に復号するように構成された、請求項２１に記載のビデオ復号デバイス。
【請求項２８】
１つまたは複数のプロセッサによって実行されたとき、
ピクチャーを複数のピクチャーパーティションに分割することと、ここで、前記ピクチャーは複数のツリーブロックを有し、前記ピクチャーパーティションは前記ピクチャーの前記ツリーブロックのオーバーラップしないサブセットに関連付けられる、
前記ピクチャーのスライスに関連付けられた前記ツリーブロックの符号化表現を含むコード化スライスネットワークアブストラクションレイヤ（ＮＡＬ）ユニットを生成することと、ここで、前記ツリーブロックの前記符号化表現は、前記コード化スライスＮＡＬユニット内で前記ピクチャーパーティションのうちの異なるピクチャーパーティションに関連付けられたセグメントにグループ化され、前記セグメントのそれぞれがバイト境界上で開始するように前記セグメントのうちの１つまたは複数がパディングされ、前記セグメントは、所与のセグメントを含み、前記１つまたは複数のプロセッサは、次のツリーブロックが、前記スライス内にあり、前記所与のセグメントとは異なるピクチャーパーティションに関連付けられる場合に、前記所与のセグメントにビットを付加するパディング演算を実行するように構成される、
を行うようにビデオ符号化デバイスを構成する、命令を記憶する非一時的なコンピュータ可読記憶媒体。
【請求項２９】
１つまたは複数のプロセッサによって実行されたとき、
ピクチャーのスライスに関連付けられたツリーブロックの符号化表現を含むコード化スライスネットワークアブストラクションレイヤ（ＮＡＬ）ユニットを記憶することと、ここで、前記ピクチャーは複数のピクチャーパーティションに分割され、前記ツリーブロックの前記符号化表現は前記ピクチャーパーティションのうちの異なるピクチャーパーティションに関連付けられたセグメントにグループ化され、前記セグメントのそれぞれがバイト境界において開始するように前記セグメントのうちの１つまたは複数がパディングされ、前記セグメントは、所与のセグメントを含み、前記コード化スライスＮＡＬユニットは、次のツリーブロックが、前記スライス内にあり、前記所与のセグメントとは異なるピクチャーパーティションに関連付けられる場合に、前記所与のセグメントに付加されたビットを含む、
前記ツリーブロックの前記符号化表現を復号することと、
を行うようにビデオ復号デバイスを構成する、命令を記憶する非一時的なコンピュータ可読記憶媒体。
【請求項３０】
ビデオデータを符号化するビデオ符号化デバイスであって、前記ビデオ符号化デバイスは、
ピクチャーを複数のピクチャーパーティションに分割するための手段と、ここで、前記ピクチャーは複数のツリーブロックを有し、前記ピクチャーパーティションは前記ピクチャーの前記ツリーブロックのオーバーラップしないサブセットに関連付けられる、
前記ピクチャーのスライスに関連付けられた前記ツリーブロックの符号化表現を含むコード化スライスネットワークアブストラクションレイヤ（ＮＡＬ）ユニットを生成するための手段と、ここで、前記ツリーブロックの前記符号化表現は、前記コード化スライスＮＡＬユニット内で前記ピクチャーパーティションのうちの異なるピクチャーパーティションに関連付けられたセグメントにグループ化され、前記セグメントのそれぞれがバイト境界上で開始するように前記セグメントのうちの１つまたは複数がパディングされ、前記セグメントは、所与のセグメントを含み、前記コード化スライスＮＡＬユニットを生成することは、次のツリーブロックが、前記スライス内にあり、前記所与のセグメントとは異なるピクチャーパーティションに関連付けられる場合に、前記所与のセグメントにビットを付加するパディング演算を実行することを含む、
を含む、ビデオ符号化デバイス。
【請求項３１】
ビデオデータを復号するビデオ復号デバイスであって、前記ビデオ復号デバイスは、
ピクチャーのスライスに関連付けられたツリーブロックの符号化表現を含むコード化スライスネットワークアブストラクションレイヤ（ＮＡＬ）ユニットを記憶するための手段と、ここで、前記ピクチャーは複数のピクチャーパーティションに分割され、前記ツリーブロックの前記符号化表現は前記ピクチャーパーティションのうちの異なるピクチャーパーティションに関連付けられたセグメントにグループ化され、前記セグメントのそれぞれがバイト境界において開始するように前記セグメントのうちの１つまたは複数がパディングされ、前記セグメントは、所与のセグメントを含み、前記コード化スライスＮＡＬユニットは、次のツリーブロックが、前記スライス内にあり、前記所与のセグメントとは異なるピクチャーパーティションに関連付けられる場合に、前記所与のセグメントに付加されるビットを含む、
前記ツリーブロックの前記符号化表現を復号するための手段と、
を含む、ビデオ復号デバイス。
【手続補正２】
【補正対象書類名】明細書
【補正対象項目名】０１５１
【補正方法】変更
【補正の内容】
【０１５１】
様々な例について説明した。これらおよび他の例は以下の特許請求の範囲内に入る。
以下に、本願出願の当初の特許請求の範囲に記載された発明を付記する。
［Ｃ１］
ビデオデータを符号化するための方法であって、前記方法は、
ピクチャーを複数のピクチャーパーティションに分割することと、ここで、前記ピクチャーは複数のツリーブロックを有し、前記ピクチャーパーティションは前記ピクチャーの前記ツリーブロックのオーバーラップしないサブセットに関連付けられる、
前記ピクチャーのスライスに関連付けられた前記ツリーブロックの符号化表現を含むコード化スライスネットワークアブストラクションレイヤ（ＮＡＬ）ユニットを生成することと、ここで、前記ツリーブロックの前記符号化表現は、前記コード化スライスＮＡＬユニット内で前記ピクチャーパーティションのうちの異なるピクチャーパーティションに関連付けられたセグメントにグループ化され、前記セグメントのそれぞれがバイト境界上で開始するように前記セグメントのうちの１つまたは複数がパディングされる、を含む、方法。
［Ｃ２］
前記コード化スライスＮＡＬユニットを生成することは、前記セグメントのうちの１つまたは複数のためのエントリーポイントを示すスライスヘッダを生成することを含む、Ｃ１に記載の方法。
［Ｃ３］
前記セグメントのための前記エントリーポイントは、前記セグメントのバイトオフセットを示す、Ｃ２に記載の方法。
［Ｃ４］
前記ピクチャーパーティションは、タイルまたはウェイブフロント並列処理（ＷＰＰ）ウェイブである、Ｃ１に記載の方法。
［Ｃ５］
前記ピクチャーに関連付けられたパラメータセットを生成することをさらに含み、前記パラメータセットは、第１の値を有するフラグを含み、前記第１の値は、前記セグメントのそれぞれがバイト境界において開始するように前記セグメントのうちの前記１つまたは複数がパディングされることを示し、
前記フラグが第２の値を有するとき、前記セグメントはバイト境界において開始することも開始しないこともある、Ｃ１に記載の方法。
［Ｃ６］
前記セグメントは、所与のセグメントを含み、
前記コード化スライスＮＡＬユニットを生成することは、次のツリーブロックが、前記スライス内にあり、前記所与のセグメントとは異なるピクチャーパーティションに関連付けられる場合に、前記所与のセグメントにビットを付加するパディング演算を実行することを含む、Ｃ１に記載の方法。
［Ｃ７］
前記ピクチャーパーティションは、タイルであり、
前記コード化スライスＮＡＬユニットを生成することは、前記タイルが互いから独立していると判定した後にのみ、前記セグメントがバイト境界において開始することを保証するパディング演算を実行することを含む、Ｃ１に記載の方法。
［Ｃ８］
ビデオデータを復号する方法であって、前記方法は、
ピクチャーのスライスに関連付けられたツリーブロックの符号化表現を含むコード化スライスネットワークアブストラクションレイヤ（ＮＡＬ）ユニットを記憶することと、ここで、前記ピクチャーは複数のピクチャーパーティションに区分され、前記ツリーブロックの前記符号化表現は前記ピクチャーパーティションのうちの異なるピクチャーパーティションに関連付けられたセグメントにグループ化され、前記セグメントのそれぞれがバイト境界において開始するように前記セグメントのうちの１つまたは複数がパディングされる、
前記ツリーブロックの前記符号化表現を復号することを含む、方法。
［Ｃ９］
前記コード化スライスＮＡＬユニットは、前記セグメントのうちの１つまたは複数のためのエントリーポイントを示すスライスヘッダを含む、Ｃ８に記載の方法。
［Ｃ１０］
前記セグメントのための前記エントリーポイントは、前記セグメントのバイトオフセットを示す、Ｃ９に記載の方法。
［Ｃ１１］
前記ピクチャーパーティションは、タイルまたはウェイブフロント並列処理（ＷＰＰ）ウェイブである、Ｃ８に記載の方法。
［Ｃ１２］
前記ピクチャーに関連付けられたパラメータセットを記憶することをさらに含み、前記パラメータセットは、第１の値を有するフラグを含み、前記第１の値は、前記セグメントのそれぞれがバイト境界において開始するように前記セグメントのうちの前記１つまたは複数がパディングされることを示し、
前記フラグが第２の値を有するとき、前記セグメントはバイト境界において開始することも開始しないこともある、Ｃ８に記載の方法。
［Ｃ１３］
前記ピクチャーパーティションは、タイルであり、
前記タイルが互いから独立しているとき、前記セグメントがバイト境界において開始するように前記セグメントのうちの１つまたは複数がパディングされる、Ｃ８に記載の方法。
［Ｃ１４］
前記ツリーブロックの前記符号化表現を復号することは、前記セグメントのうちの２つ以上の中の前記ツリーブロックの前記符号化表現を並列に復号することを含む、Ｃ８に記載の方法。
［Ｃ１５］
ビデオデータを符号化するビデオ符号化デバイスであって、前記ビデオ符号化デバイスは、
ピクチャーを複数のピクチャーパーティションに分割することと、ここで、前記ピクチャーは複数のツリーブロックを有し、前記ピクチャーパーティションは前記ピクチャーの前記ツリーブロックのオーバーラップしないサブセットに関連付けられる、
前記ピクチャーのスライスに関連付けられた前記ツリーブロックの符号化表現を含むコード化スライスネットワークアブストラクションレイヤ（ＮＡＬ）ユニットを生成することと、ここで、前記ツリーブロックの前記符号化表現は、前記コード化スライスＮＡＬユニット内で前記ピクチャーパーティションのうちの異なるピクチャーパーティションに関連付けられたセグメントにグループ化され、前記セグメントのそれぞれがバイト境界上で開始するように前記セグメントのうちの１つまたは複数がパディングされる、を行うように構成された１つまたは複数のプロセッサを含む、ビデオ符号化デバイス。
［Ｃ１６］
前記１つまたは複数のプロセッサは、前記コード化スライスＮＡＬユニットが、前記セグメントのうちの１つまたは複数のためのエントリーポイントを示すスライスヘッダを含むように、前記コード化スライスＮＡＬユニットを生成するように構成された、Ｃ１５に記載のビデオ符号化デバイス。
［Ｃ１７］
前記セグメントのための前記エントリーポイントは、前記セグメントのバイトオフセットを示す、Ｃ１６に記載のビデオ符号化デバイス。
［Ｃ１８］
前記ピクチャーパーティションは、タイルまたはウェイブフロント並列処理（ＷＰＰ）ウェイブである、Ｃ１５に記載のビデオ符号化デバイス。
［Ｃ１９］
前記１つまたは複数のプロセッサは、前記ピクチャーに関連付けられたパラメータセットを生成するように構成され、前記パラメータセットは、第１の値を有するフラグを含み、前記第１の値は、前記セグメントのそれぞれがバイト境界において開始するように前記セグメントのうちの前記１つまたは複数がパディングされることを示し、
前記フラグが第２の値を有するとき、前記セグメントはバイト境界において開始することも開始しないこともある、Ｃ１５に記載のビデオ符号化デバイス。
［Ｃ２０］
前記セグメントは、所与のセグメントを含み、
前記１つまたは複数のプロセッサは、次のツリーブロックが、前記スライス内にあり、前記所与のセグメントとは異なるピクチャーパーティションに関連付けられる場合に、前記所与のセグメントにビットを付加するパディング演算を実行するように構成された、Ｃ１５に記載のビデオ符号化デバイス。
［Ｃ２１］
前記ピクチャーパーティションは、タイルであり、
１つまたは複数のプロセッサは、前記タイルが互いから独立していると判定した後にのみ、前記セグメントがバイト境界において開始することを保証するパディング演算を実行するように構成された、Ｃ１５に記載のビデオ符号化デバイス。
［Ｃ２２］
前記ビデオ符号化デバイスは、モバイルコンピューティングデバイスである、Ｃ１５に記載のビデオ符号化デバイス。
［Ｃ２３］
ビデオデータを復号するビデオ復号デバイスであって、前記ビデオ復号デバイスは、
ピクチャーのスライスに関連付けられたツリーブロックの符号化表現を含むコード化スライスネットワークアブストラクションレイヤ（ＮＡＬ）ユニットを記憶するメモリと、ここで、前記ピクチャーは複数のピクチャーパーティションに分割され、前記ツリーブロックの前記符号化表現は前記ピクチャーパーティションのうちの異なるピクチャーパーティションに関連付けられたセグメントにグループ化され、前記セグメントのそれぞれがバイト境界において開始するように前記セグメントのうちの１つまたは複数がパディングされる、
前記ツリーブロックの前記符号化表現を復号するように構成された１つまたは複数のプロセッサとを含む、ビデオ復号デバイス。
［Ｃ２４］
前記コード化スライスＮＡＬユニットは、前記セグメントのうちの１つまたは複数のためのエントリーポイントを示すスライスヘッダを含む、Ｃ２３に記載のビデオ復号デバイス。
［Ｃ２５］
前記セグメントのための前記エントリーポイントは、前記セグメントのバイトオフセットを示す、Ｃ２４に記載のビデオ復号デバイス。
［Ｃ２６］
前記ピクチャーパーティションは、タイルまたはウェイブフロント並列処理（ＷＰＰ）ウェイブである、Ｃ２３に記載のビデオ復号デバイス。
［Ｃ２７］
前記メモリは、前記ピクチャーに関連付けられたパラメータセットを記憶し、前記パラメータセットは、第１の値を有するフラグを含み、前記第１の値は、前記セグメントのそれぞれがバイト境界において開始するように前記セグメントのうちの前記１つまたは複数がパディングされることを示し、
前記フラグが第２の値を有するとき、前記セグメントはバイト境界において開始することも開始しないこともある、Ｃ２３に記載のビデオ復号デバイス。
［Ｃ２８］
前記ビデオ復号デバイスは、モバイルコンピューティングデバイスである、Ｃ２３に記載のビデオ復号デバイス。
［Ｃ２９］
前記１つまたは複数のプロセッサが、前記セグメントのうちの２つ以上の中の前記ツリーブロックの前記符号化表現を並列に復号するように構成された、Ｃ２３に記載のビデオ復号デバイス。
［Ｃ３０］
１つまたは複数のプロセッサによって実行されたとき、
ピクチャーを複数のピクチャーパーティションに分割することと、ここで、前記ピクチャーは複数のツリーブロックを有し、前記ピクチャーパーティションは前記ピクチャーの前記ツリーブロックのオーバーラップしないサブセットに関連付けられる、
前記ピクチャーのスライスに関連付けられた前記ツリーブロックの符号化表現を含むコード化スライスネットワークアブストラクションレイヤ（ＮＡＬ）ユニットを生成することと、ここで、前記ツリーブロックの前記符号化表現は、前記コード化スライスＮＡＬユニット内で前記ピクチャーパーティションのうちの異なるピクチャーパーティションに関連付けられたセグメントにグループ化され、前記セグメントのそれぞれがバイト境界上で開始するように前記セグメントのうちの１つまたは複数がパディングされる、を行うようにビデオ符号化デバイスを構成する、命令を記憶する１つまたは複数のコンピュータ可読記憶媒体を含む、コンピュータプログラム製品。
［Ｃ３１］
１つまたは複数のプロセッサによって実行されたとき、
ピクチャーのスライスに関連付けられたツリーブロックの符号化表現を含むコード化スライスネットワークアブストラクションレイヤ（ＮＡＬ）ユニットを記憶することと、ここで、前記ピクチャーは複数のピクチャーパーティションに分割され、前記ツリーブロックの前記符号化表現は前記ピクチャーパーティションのうちの異なるピクチャーパーティションに関連付けられたセグメントにグループ化され、前記セグメントのそれぞれがバイト境界において開始するように前記セグメントのうちの１つまたは複数がパディングされる、
前記ツリーブロックの前記符号化表現を復号することとを行うようにビデオ復号デバイスを構成する、命令を記憶する１つまたは複数のコンピュータ可読記憶媒体を含む、コンピュータプログラム製品。
［Ｃ３２］
ビデオデータを符号化するビデオ符号化デバイスであって、前記ビデオ符号化デバイスは、
ピクチャーを複数のピクチャーパーティションに分割するための手段と、ここで、前記ピクチャーは複数のツリーブロックを有し、前記ピクチャーパーティションは前記ピクチャーの前記ツリーブロックのオーバーラップしないサブセットに関連付けられる、
前記ピクチャーのスライスに関連付けられた前記ツリーブロックの符号化表現を含むコード化スライスネットワークアブストラクションレイヤ（ＮＡＬ）ユニットを生成するための手段と、ここで、前記ツリーブロックの前記符号化表現は、前記コード化スライスＮＡＬユニット内で前記ピクチャーパーティションのうちの異なるピクチャーパーティションに関連付けられたセグメントにグループ化され、前記セグメントのそれぞれがバイト境界上で開始するように前記セグメントのうちの１つまたは複数がパディングされる、を含む、ビデオ符号化デバイス。
［Ｃ３３］
ビデオデータを復号するビデオ復号デバイスであって、前記ビデオ復号デバイスは、
ピクチャーのスライスに関連付けられたツリーブロックの符号化表現を含むコード化スライスネットワークアブストラクションレイヤ（ＮＡＬ）ユニットを記憶するための手段と、ここで、前記ピクチャーは複数のピクチャーパーティションに分割され、前記ツリーブロックの前記符号化表現は前記ピクチャーパーティションのうちの異なるピクチャーパーティションに関連付けられたセグメントにグループ化され、前記セグメントのそれぞれがバイト境界において開始するように前記セグメントのうちの１つまたは複数がパディングされる、
前記ツリーブロックの前記符号化表現を復号するための手段とを含む、ビデオ復号デバイス。